(57)【特許請求の範囲】
【請求項１】
同じ搬送方向に平行に搬送される旧ウエブと新ウエブの搬送路に沿って移動自在な第１移動体と、
前記新ウエブの先端が固定され、かつ、前記第１移動体とは前記搬送路を挟んで反対の位置に設けられた第２移動体と、
前記第２移動体に設けられ、前記搬送が停止した前記新ウエブを固定する新ウエブ固定部と、
前記第２移動体に設けられ、前記新ウエブ固定部によって固定され、かつ、前記搬送が停止した前記新ウエブと前記搬送が停止した前記旧ウエブとが重なった状態で、幅方向に移動して前記旧ウエブと前記新ウエブとを同時に切断するカッターと、
前記第１移動体に設けられ、前記旧ウエブの切断後に前記第１移動体が前記搬送方向とは反対に移動するときに回転して、前記旧ウエブの切断端から前記旧ウエブの搬入側を巻き付ける巻き付け体と、
前記第１移動体に設けられ、前記巻き付け体が前記旧ウエブの搬入側を巻き付けた後に、前記新ウエブ固定部で固定された前記旧ウエブの後端部の一側面と前記新ウエブの前端部の一側面とに第１接着テープを貼り付けて接続する第１貼り付け体と、
を有するウエブの接続装置。
【請求項２】
前記巻き付け体は、前記第１移動体の移動と連動して回転する、
請求項１に記載のウエブの接続装置。
【請求項３】
前記巻き付け体は、前記カッターによって前記旧ウエブが切断されるときに切断部分に位置して前記旧ウエブの前記切断端を固定する、
請求項１に記載のウエブの接続装置。
【請求項４】
前記第１貼り付け体は、前記第１移動体の移動と連動して回転し、かつ、その外周面に前記第１接着テープが仮止めされている、
請求項１に記載のウエブの接続装置。
【請求項５】
前記新ウエブ固定部は、吸引装置である、
請求項１に記載のウエブの接続装置。
【請求項６】
前記第１移動体は、前記旧ウエブの後端部の一側面と前記新ウエブの前端部の一側面とを接続した後に、前記接続部分を固定する旧ウエブ固定部を有し、
前記第２移動体は、前記搬送路に沿って移動自在であり、前記旧ウエブ固定部で前記接続部分を固定した後に、前記搬送方向に沿って移動して、前記旧ウエブの後端部の他側面と前記新ウエブの前端部の他側面とに、第２接着テープを貼り付けて接続する第２貼り付け体を有する、
請求項１に記載のウエブの接続装置。
【請求項７】
前記旧ウエブ固定部は、吸引装置である、
請求項６に記載のウエブの接続装置。
【請求項８】
前記第２貼り付け体は、前記第２移動体の移動と連動して回転し、かつ、その外周面に前記第２接着テープが仮止めされている、
請求項６に記載のウエブの接続装置。
【請求項９】
前記第１移動体を前記搬送路に沿って移動させる第１移動手段と、前記第２移動体を前記搬送路に沿って移動させる第２移動手段とをさらに有する、
請求項６に記載のウエブの接続装置。
【請求項１０】
前記第２移動体は、前記新ウエブ固定部、前記カッター、前記第２貼り付け体を待機位置から、前記搬送路まで移動させる第３移動手段を有する。
請求項６に記載のウエブの接続装置。
【請求項１１】
請求項１に記載のウエブの接続装置を用いた旧ウエブと新ウエブの接続方法であって、
前記旧ウエブの搬送を停止する工程と、
前記新ウエブ固定部が、前記新ウエブを固定する工程と、
前記巻き付け体と前記新ウエブ固定部とが、前記旧ウエブと前記新ウエブとを挟んで固定する工程と、
前記カッターが、前記旧ウエブと前記新ウエブとを重ねた状態で幅方向に切断する工程と、
前記第１移動体が前記搬送方向とは反対方向に移動することにより、前記巻き付け体が、前記旧ウエブの切断端から前記旧ウエブの搬入側を巻き付ける工程と、
前記第１貼り付け体が、前記新ウエブ固定部で固定された前記旧ウエブの後端部の一側面と前記新ウエブの前端部の一側面とに前記第１接着テープを貼り付けて接続する工程と、
を有するウエブの接続方法。
【請求項１２】
請求項６に記載のウエブの接続装置を用いた旧ウエブと新ウエブの接続方法であって、
前記第１貼り付け体が、前記旧ウエブの後端部の一側面と前記新ウエブの前端部の一側面とを接続した後に、前記旧ウエブ固定部が、前記接続部分の一側面を固定する工程と、
前記第２移動体が前記搬送方向に移動することにより、前記第２貼り付け体が、前記旧ウエブ固定部で固定された前記旧ウエブの後端部の他側面と前記新ウエブの前端部の他側面とに前記第２接着テープを貼り付けて接続する工程と、
を有する請求項１１に記載のウエブの接続方法。
【請求項１３】
前記搬送路が、水平方向、上下方向、又は、水平方向に対し傾斜している、
請求項１１に記載のウエブの接続方法。
【発明の詳細な説明】
【技術分野】
【０００１】
本発明は、旧ウエブと新ウエブを接続する接続装置及びその接続方法に関するものである。
【背景技術】
【０００２】
従来より、旧ウエブに新ウエブを接続する接続装置は、第１に旧ウエブと新ウエブを重ね合わせ、第２に切断予定箇所の前後をウエブ保持具で挟持し、第３に新旧両ウエブを切断箇所で同時に切断し、第４に旧ウエブの後端部及び新ウエブの前端部をウエブ保持具の吸引面で吸引保持しつつ新旧両ウエブの不要部分を両方とも除去し、第５に旧ウエブの後端部及び新ウエブの前端部の一側面をウエブ保持具の吸引面で吸引保持して接着テープを貼り合わせる。
【先行技術文献】
【特許文献】
【０００３】
【特許文献１】特開平５−２４６５８９号公報
【特許文献２】特開２００５−１５１４５号公報
【発明の概要】
【発明が解決しようとする課題】
【０００４】
しかし、上記接続装置であると、旧ウエブと新ウエブを接続するために長時間かかり、その間はウエブの搬送が停止し、生産効率が落ちるという問題点があった。
【０００５】
そこで、本発明は上記問題点に鑑み、旧ウエブと新ウエブの接続を短時間で行えるウエブの接続装置及びその接続方法について提供することを目的とする。
【課題を解決するための手段】
【０００６】
本発明は、同じ搬送方向に平行に搬送される旧ウエブと新ウエブの搬送路に沿って移動自在な第１移動体と、前記新ウエブの先端が固定され、かつ、前記第１移動体とは前記搬送路を挟んで反対の位置に設けられた第２移動体と、前記第２移動体に設けられ、前記搬送が停止した前記新ウエブを固定する新ウエブ固定部と、前記第２移動体に設けられ、前記新ウエブ固定部によって固定され、かつ、前記搬送が停止した前記新ウエブと前記搬送が停止した前記旧ウエブとが重なった状態で、幅方向に移動して前記旧ウエブと前記新ウエブとを同時に切断するカッターと、前記第１移動体に設けられ、前記旧ウエブの切断後に前記第１移動体が前記搬送方向とは反対に移動するときに回転して、前記旧ウエブの切断端から前記旧ウエブの搬入側を巻き付ける巻き付け体と、前記第１移動体に設けられ、前記巻き付け体が前記旧ウエブの搬入側を巻き付けた後に、前記新ウエブ固定部で固定された前記旧ウエブの後端部の一側面と前記新ウエブの前端部の一側面とに第１接着テープを貼り付けて接続する第１貼り付け体と、を有するウエブの接続装置である。
【発明の効果】
【０００７】
本発明によれば、旧ウエブの後端部の一側面と新ウエブの前端部の一側面とを第１接着テープによって短時間で貼り合わせることができる。
【図面の簡単な説明】
【０００８】
【図１】本発明の一実施形態を示す接続装置の初期状態の全体図である。
【図２】第１０工程の接続装置の外観図である。
【図３】接続装置の構造を示す縦断面図である。
【図４】図３におけるＡ−Ａ線断面である。
【図５】下移動体の平面図である。
【図６】第１工程における接続装置の説明図である。
【図７】第２工程における接続装置の説明図である。
【図８】第３工程における接続装置の説明図である。
【図９】第４工程における接続装置の説明図である。
【図１０】第５工程における接続装置の説明図である。
【図１１】第６工程における接続装置の説明図である。
【図１２】第７工程における接続装置の説明図である。
【図１３】第８工程における接続装置の説明図である。
【図１４】第９工程における接続装置の説明図である。
【図１５】第１０工程における接続装置の説明図である。
【発明を実施するための形態】
【０００９】
以下、本発明の一実施形態の接続装置１０について図１〜図１５に基づいて説明する。なお、「ウエブＷ」とは、長尺状のシートであり、布帛、紙、フィルム、金属箔、金属の網などをいう。なお、接続装置１０において、「搬入側」は、ウエブＷが搬送されてくる上流側を意味し、「搬出側」は、ウエブＷが搬送される下流側を意味する。
【００１０】
接続装置１０は、図１に示すように古い芯１に巻き付けた旧ウエブＷ１が残り少なくなり、そのためこの旧ウエブＷ１の後に新しい芯２に巻き付けた新ウエブＷ２を接続する。
【００１１】
旧ウエブＷ１と新ウエブＷ２は、図１と図２に示すように水平方向の搬送路を搬送されている。旧ウエブＷ１は、図１に示すようにガイドロール３を通り、搬入ロール４を経て接続装置１０を通過し、その後に搬出ロール５を通過し、ガイドロール６から塗工装置などに案内される。一方、新しい芯２に巻き付けられた新ウエブＷ２は、ガイドロール７を通り、その後に搬入ロール４の下方に設けられている押圧ロール８の上方を通過し、その先端部は接続装置１０に固定されている。また、搬出ロール５の下方にも押圧ロール９が配されている。図３に示すように、押圧ロール８と押圧ロール９は、押圧用アクチュエータ７２，７４によってそれぞれ上下動する。
【００１２】
押圧ロール８と押圧ロール９は、それぞれブレーキ機能を有し双方のニップによって
押圧ロール８と押圧ロール９間のウエブＷの張力を保持し、その上流側と下流側から受ける可能性のある張力変動を遮断する。
【００１３】
（１）接続装置１０の構造
接続装置１０の構造について図３〜図５に基づいて説明する。接続装置１０は、第１移動体である上移動体１２と第２移動体である下移動体１４とより構成されている。
【００１４】
（１−１）上移動体１２
まず、上移動体１２について図３、図４に基づいて説明する。上移動体１２は、旧ウエブＷ１の上方に配され、水平方向に移動自在に配されている。上移動体１２の本体（以下、「上本体」という）１６は、搬入側から巻き付け体１８、第１貼り付け体である上貼り付け体２０、旧ウエブ固定部である上固定部２２より構成されている。巻き付け体１８、上貼り付け体２０、上固定部２２を有する上本体１６は、左右一対のレール３６，３６の間に配され、上アクチュエータ３８が、下移動体１６をレール３６，３６に沿って水平に移動させる。
【００１５】
巻き付け体１８は、円柱状に形成され、回転軸２４によって旧ウエブＷ１の搬送方向に沿って回転する。巻き付け体１８の外周面一部には接着面２６が形成され、この接着面２６の端部にカッター５８が通過する切断凹部２８が形成されている。すなわち、巻き付け体１８の幅方向に設けられた切断凹部２８の上流側近傍に接着面２６が形成されている。図４に示すように、巻き付け体１８の回転軸２４の両側にはピニオンギア７６，７６が設けられ、ピニオンギア７６，７６は上移動体１２の両側に設けられている直線状でかつ水平に配されたラック７８，７８と螺合して回転する。このラック７８は、接続装置１０を固定するためのフレーム８１に支持されている。上レール３６，３６、上アクチュエータ３８、後から説明するレール６８，６８と下アクチュエータ７０もこのフレームに固定されている。これにより、上移動体１２が移動するとラック７８上をピニオンギア７６，７６が回転して、巻き付け体１８も回転する。
【００１６】
上貼り付け体２０は、円柱状に形成され、回転軸３０によって旧ウエブＷ１の搬送方向に沿って回転する。上貼り付け体２０の外周面一部には仮止め部３２が設けられ、この仮止め部３２は、第１接着テープである上接着テープ３４の非接着面を吸引して仮止めしている。図４に示すように、巻き付け体１８の回転軸２４，２４の片側には、ホイール８０が設けられ、上貼り付け体２０の回転軸３０にもホイール８２が設けられている。図３に示すように、ホイール８０とホイール８２が無端状のベルト８４によって架け渡され、巻き付け体１８が回転すると上貼り付け体２０も同じ方向に回転する。
【００１７】
上固定部２２は、縦断面が台形状の直方体である。上固定部２２の下面は平らであって、吸引面が形成され、この吸引面は旧ウエブＷ１の搬送路に面しており、吸引によって旧ウエブＷ１と新ウエブＷ２の接合部を固定し、下移動体１４が移動する際に、下貼り付け体４２にある第２接着テープ５２の貼り付け時に、その貼り付けを安定化させる。
【００１８】
（１−２）下移動体１４
次に、下移動体１４について図３、図５に基づいて説明する。下移動体１４は、新ウエブＷ２の下方に配され、水平方向に移動自在に配されている。下移動体１４の本体（以下、「下本体」という）４０は、搬入側から第２貼り付け体である下貼り付け体４２、新ウエブ固定部である下固定部４４、カッター５８を有する切断装置４６、端部固定部材６６より構成されている。
【００１９】
下貼り付け体４２は、円柱状に形成され、回転軸４８によって新ウエブＷ２の搬送方向に沿って回転する。下貼り付け体４２の外周面一部には仮止め部５０が形成され、第２接着テープである下接着テープ５２の非接着面を吸引している。なお、図では記載していないが、下貼り付け体４２の回転軸４８の両端部にピニオンギアが設けられ、フレームに固定されたラックに螺合して回転する。これにより、下移動体１４が移動するとラック上をピニオンギアが回転して、下貼り付け体４２も回転する。
【００２０】
下固定部４４は、新ウエブＷ２の搬送路に面した前固定面５４と後固定面５６とを有し、前固定面５４と後固定面５６とで新ウエブＷ２をそれぞれ吸引する。
【００２１】
切断装置４６は、前固定面５４と後固定面５６との間に設けられ、カッター５８を前固定面５４と後固定面５６の間隙を幅方向に移動させ、重なった旧ウエブＷ１と新ウエブＷ２を幅方向に切断する。
【００２２】
端部固定部材６６は、下固定部４４の下後方に設けられ、新ウエブＷ２の先端部を巻き付けて固定している。
【００２３】
下貼り付け体４２、下固定部４４、切断装置４６、端部固定部材６６が左右一対の板状の上下部材６０，６０の間に設けられている。また、下本体４０の前後にはそれぞれ左右一対のレール６４，６４が設けられ、中アクチュエータ６２が、レール６４，６４に沿って左右一対の上下部材６０を上下動させる。
【００２４】
下本体４０は、水平方向に不図示のフレームに設けられた下レール６８に沿って水平方向に移動可能であり、フレームに設けられた下アクチュエータ７０が、水平方向に移動させる。
【００２５】
（２）接続装置１０の接続工程
次に、図１、図２及び図６〜図１５に基づいて、接続装置１０が旧ウエブＷ１と新ウエブＷ２を接続する工程について順番に説明していく。
【００２６】
まず、図１に示すように、古い芯１に巻き付けられた旧ウエブＷ１は、ガイドロール３、搬入ロール４、接続装置１０の上移動体１２の下方、搬出ロール５、ガイドロール６を通過して水平状態で搬送されている。そして、この古い芯１に巻き付けられている旧ウエブＷ１の残量が少なくなると、接続装置１０が動作を開始する。
【００２７】
第１工程では、図１と図６に示すように、旧ウエブＷ１は上記したように搬入ロール４、上移動体１２の下方、搬出ロール５の位置を水平に搬送されている。一方、新ウエブＷ２は旧ウエブＷ１と同様に水平に配された状態で押圧ロール８を経て下移動体１４の上方に位置しつつ、下移動体１４に設けられている端部固定部材６６に巻き付けられた状態で固定されている。この第１工程では、旧ウエブＷ１は水平方向に一定の搬送速度で搬送され、新ウエブＷ２は、旧ウエブＷ１と平行に、かつ、下方の位置で停止している。また、下移動体１４の上面から突出したカッター５８の位置に、上移動体１２の巻き付け体１８の切断凹部２８が位置するように、上移動体１２と下移動体１４をそれぞれ上アクチュエータ３８と下アクチュエータ７０によって水平方向に位置合わせされている。このときの位置合わせは、巻き付け体１８が旧ウエブＷ１の表面を転がるように運動させて行う。以下、この位置を「初期位置」という。
【００２８】
第２工程では、図７に示すように、旧ウエブＷ１の搬送を停止させた後に、押圧用アクチュエータ７２，７４によって押圧ロール８，９を上方に移動させ、旧ウエブＷ１と新ウエブＷ２を、搬入ロール４と押圧ロール８、搬出ロール５と押圧ロール９とで挟んで固定する。すなわち、搬入ロール４と搬出ロール５にそれぞれに圧着される押圧ロール８，９はブレーキ機能を有し、それぞれのニップ後にこれを作動させ、上流側の旧ウエブＷ１と新ウエブＷ２、下流から旧ウエブＷ１の張力変動を遮断し、接続装置１０内のウエブ張力を安定化させる。また、初期位置において中アクチュエータ６２が、下移動体１４の上下部材６０を待機高さから上方に移動させ、下固定部４４の前固定面５４と後固定面５６が、新ウエブＷ２の下面を吸引する。
【００２９】
第３工程では、図８に示すように、新ウエブＷ２は下固定部４４の前固定面５４と後固定面５６とによって吸引されて固定され、その上にある旧ウエブＷ１は、この固定された新ウエブＷ２と巻き付け体１８によって挟まれた状態で固定される。この状態において巻き付け体１８の切断凹部２８が、カッター５８の位置にあるため、切断装置４６がカッター５８を重なった旧ウエブＷ１と新ウエブＷ２の幅方向に沿って移動させ、旧ウエブＷ１と新ウエブＷ２の両方を同時に幅方向に切断する。但し、切断されても、上記したように旧ウエブＷ１と新ウエブＷ２は固定されている。
【００３０】
第４工程では、図９に示すように、下移動体１４は停止した状態で、上アクチュエータ３８が、上移動体１２のみを初期位置から搬入側に上レール３６，３６に沿って移動させる。上移動体１２の移動と共に巻き付け体１８と上貼り付け体２０が、図９において反時計回りの方向に回転する。すなわち、上移動体１２が水平方向に移動すると、ピニオンギア７６がラック７８によって回転し、巻き付け体１８が回転する。巻き付け体１８が回転するとベルト８４によって上貼り付け体２０も回転する。
【００３１】
第５工程では、図１０に示すように、巻き付け体１８が反時計回りの方向に回転すると、切断された旧ウエブＷ１の前端部が接着面２６に接着され巻き付けられる。これによって新ウエブＷ２の上面が露出し、新ウエブＷ２の前端部が、切断された旧ウエブＷ１の後端部と隣接状態になり、この接続位置を後続の仮止め部３２が、上接着テープ３４で跨ぐように転がり接合する。すなわち、上貼り付け体２０の仮止め部３２に設けられている上接着テープ３４の接着面が、切断された旧ウエブＷ１の後端部と新ウエブＷ２の前端部の一側面（上面）に上から上貼り付け体２０によって押圧されて貼り付けられる。そして、上移動体１２は、引き続き移動している。
【００３２】
第６工程では、図１１に示すように、巻き付け体１８は、旧ウエブＷ１の前端部の巻き付けを引き続き行い、上貼り付け体２０は上接着テープ３４を貼り付けた後も反時計回りの方向に回転する。そして、上固定部２２の固定面が、上接着テープ３４を貼り付けた旧ウエブＷ１の後端部と新ウエブＷ２の前端部の上面を吸引した後に上移動体１２は停止する。この状態までは、下移動体１４は固定され、その後、下固定部４４の後固定面５６は新ウエブＷ２の吸引を継続したまま、前固定面５４の吸引を解除する。
【００３３】
第７工程では、図１２に示すように、停止している上移動体１２の上固定部２２が、上接着テープ３４が貼り付けられた旧ウエブＷ１と新ウエブＷ２の切断部分を固定した後に、下アクチュエータ７０が、下移動体１４をレール６８，６８に沿って搬出側に移動させる。すると、下移動体１４の下貼り付け体４２が、下移動体１４の移動と共に回転し、仮止め部５０に仮止めされている下接着テープ５２が切断部分に至る。下接着テープ５２が、この切断部分に来ると下接着テープ５２の接着面によって旧ウエブＷ１の後端部と新ウエブＷ２の前端部の他側面（下面）を貼り付けられる。
【００３４】
第８工程では、図１３に示すように、上移動体１２を固定したまま、下移動体１４のみを搬出側にさらに移動させる。その際、第３工程でなされた下固定部４４の前固定面５４と後固定面５６の吸引状態が、第６工程で前固定面５４の吸引を解除しているため、下移動体１４の移動によって、下固定部４４の後固定面５６(吸引継続中)と端部固定部材６６にて保持された新ウエブＷ２の切断端は、その切断位置から離されることにより、旧ウエブＷ１と新ウエブＷ２の貼合わせ面が整えられる。そしてこれと連動する下貼り付け体４２、その外周面上の仮止め部５０が第２接着テープ５２を伴い、旧ウエブＷ１の後端部と新ウエブＷ２の前端部の他側面（下面）の切断部分を跨いで転がり、押圧して、第２接着テープ５２を貼付け、接続を完了する。
【００３５】
第９工程では、図１４に示すように、上移動体１２の上固定部２２の吸引も解除後、下移動体１４の降下並びに押圧ロール８，９の降下（すなわち、それぞれのブレーキ解除）、下移動体１４の上下部材６０を下方に移動させて元の待機高さに復帰させる過程で、接続された新ウエブＷ２の搬送を再開する。なお、新ウエブＷ２の搬送再開は、時間短縮のため、下移動体１４の上下部材６０を下方に移動（離脱）し押圧ロール８，９がニップ開放または、ニップ状態のまま、双方のブレーキが解除した瞬間から始まる。
また、下固定部４４の後固定面５６の吸引は、旧ウエブＷ１との接触状態から、後固定面５６面上の新ウエブ切断端が静電気などの離脱阻害要因があってもこれに影響されることのないように、この吸引を継続し、第１０工程で行われる残存する新ウエブＷ２の先端部を除去する時点で解除する。
【００３６】
第１０工程では、図２及び図１５に示すように、上移動体１８の位置を初期位置に復帰させる。この動作にて巻き付け体１８の接着面２６で接着されていた旧ウエブＷ１の前端部が巻き戻され、搬入ロール４とガイドロール３を介して、巻き付け体１８に巻き付けられた旧ウエブＷ１の残りを古い芯１を逆転して巻き戻す。一方、下部移動体１４も下固定部４４搬出側から固定部材６６にわたって、残存する新ウエブＷ２の先端部を除去して下部移動体１４の位置を初期位置に復帰させることで第２貼り付け体４２の回転位置も初期位置に復帰する。
以上により旧ウエブＷ１と新ウエブＷ２の接続並びに同残存処理が完了する。
【００３７】
（３）効果
本実施形態の接続装置１０であると、新旧ウエブＷ１，Ｗ２の搬送を停止させて押圧ロール８，９で新旧ウエブＷ１，Ｗ２を重ねた状態で固定した後にカッター５８で切断し、上移動体１２を搬入方向（上流側）に移動させて新旧ウエブＷ１，Ｗ２を接続し、その後に下移動体１４を搬出方向（下流側）に移動させるだけでよいので、作業時間が３秒〜４秒となり、従来１０秒以上必要としていた接続時間を短縮できる。
【００３８】
そのため、従来、ウエブの搬送作業を維持するためにアキュムレータが必要であったが、本実施形態では接続時間が短いため、アキュムレータが不要となる。
【００３９】
（４）変更例
上記実施形態では巻き付け体１８は円柱状のロールであったが、これに限らず外周部に接着面２６と切断凹部２８が設けられていれば、縦断面は円形でなく楕円やその他の太い板状でも良い。
【００４０】
上記実施形態では上貼り付け体２０は円柱状のロールであったが、これに限らず仮止め部３２が設けられていれば、縦断面が反円形状などの形状でも良い。
【００４１】
上記実施形態では下貼り付け体は円柱状のロールであったが、これに限らず仮止め部５０が設けられていれば、縦断面は半円形状などでも良い。
【００４２】
上中下アクチュエータ３８，６２，７０は、空気、油圧式でもよく、またモータで水平方向や上下動させても良い。
【００４３】
上記実施形態ではウエブの搬送方向は水平であったが、これに限らず水平から傾斜した状態、又は、垂直方向でもよく、垂直方向の場合には例えば第１移動体である上移動体１２は左側、第２移動体である下移動体１４は右側に配置する。
【００４４】
上記実施形態では巻き付け体１８、上貼り付け体２０を上移動体１２の移動と共に連動して回転する構造についてはピニオンギア７６とラック７８の構造以外の構造でもよい。
【００４５】
上記実施形態では下貼り付け体４２を下移動体１４の移動によって連動して回転させたが、これ以外の構造でもよい。
【００４６】
上記実施形態では、旧ウエブＷ１と新ウエブＷ２の両側面を固定するために上接着テープ３４と下接着テープ５２を貼り付けたが、上接着テープ３４によって片面のみ貼り付けて接続してもよい。この場合には、上移動体１２にも設けられている上固定部２２と、下移動体１４に設けられている下貼り付け体４２が不要となる。
【００４７】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４８】
１０・・・接続装置、１２・・・上移動体、１４・・・下移動体、１８・・・巻き付け体、２０・・・上貼り付け体、２２・・・上固定部、３４・・・上接着テープ、４２・・・下貼り付け体、４４・・・下固定部、４６・・・切断装置、５２・・・下接着テープ、５８・・・カッター
【要約】
【課題】旧ウエブと新ウエブの接続を短時間で行えるウエブの接続装置及びその接続方法について提供する。
【解決手段】接続装置１０が、旧ウエブＷ１の搬送路の上方に配された上移動体１２と搬送路の下方に配された下移動体１４とよりなり、旧ウエブＷ１と新ウエブＷ２とを停止した状態で、上移動体１２を水平方向に移動させて巻き付け体１８と上貼り付け体２０とを連動して回転させると共に、その後下移動体１４を移動させて下貼り付け体４２を回転させることにより旧ウエブＷ１と新ウエブＷ２とを接続する。
【選択図】      図３【図１】
0005833193.tif 000002
【図２】
0005833193.tif 000003
【図３】
0005833193.tif 000004
【図４】
0005833193.tif 000005
【図５】
0005833193.tif 000006
【図６】
0005833193.tif 000007
【図７】
0005833193.tif 000008
【図８】
0005833193.tif 000009
【図９】
0005833193.tif 000010
【図１０】
0005833193.tif 000011
【図１１】
0005833193.tif 000012
【図１２】
0005833193.tif 000013
【図１３】
0005833193.tif 000014
【図１４】
0005833193.tif 000015
【図１５】
0005833193.tif 000016